(57)【要約】【課題】小型であって、且つ、高い組み立て性能を有する電子機器を提供する。【解決手段】本発明に係る電子機器は、画像表示部である液晶表示パネル12と、操作スイッチ31〜36を有する入力部２と、操作スイッチ31〜36の操作により入力部２から入力される指令に基づいて液晶表示パネル12の動作を制御する制御部４とを具え、液晶表示パネル12と制御部４とが第１信号線51により接続されると共に、入力部４の操作スイッチ31〜36と制御部４とが第２信号線52により接続されている。そして、第１信号線51と第２信号線52とが１つのフレキシブルリード５に形成され、該フレキシブルリード５の表面に入力部２の操作スイッチ31〜36が設けられている。【選択図】図２
2011048014.tif 000002
【特許請求の範囲】
【請求項１】
画像表示部と、操作スイッチを有する入力部と、前記操作スイッチの操作により入力部から入力される指令に基づいて前記画像表示部の動作を制御する制御部とを具え、前記画像表示部と制御部とが第１信号線により接続されると共に、前記入力部の操作スイッチと制御部とが第２信号線により接続されている電子機器において、
前記第１信号線と第２信号線とが１つのフレキシブルリードに形成され、該フレキシブルリードの表面に前記入力部の操作スイッチが設けられていることを特徴とする電子機器。
【請求項２】
機器本体の外周面を形成するキャビネットを更に具え、該キャビネットの内面、又は、該キャビネットに固定された設置台に、前記フレキシブルリードの背面が密着している請求項１に記載の電子機器。
【請求項３】
前記フレキシブルリードは画像表示部から引き出されたものである請求項１又は請求項２に記載の電子機器。
【発明の詳細な説明】
【技術分野】
【０００１】
本発明は、操作スイッチの操作により画像表示部に様々な画像を表示することが可能な電子機器に関する。
【背景技術】
【０００２】
この種の電子機器は、図６及び図７に示す様に、画像表示部である液晶表示パネル(101)と、複数の操作スイッチ(103)〜(103)を有する入力部(102)と、該複数の操作スイッチ(103)〜(103)の操作により入力部(102)から入力される指令に基づいて液晶表示パネル(101)の動作を制御する制御部(104)とを具え、液晶表示パネル(101)と制御部(104)とが複数の第１信号線(111)〜(111)により接続されると共に、入力部(102)の複数の操作スイッチ(103)〜(103)と制御部(104)とが複数の第２信号線(112)〜(112)により接続されている（例えば、特許文献１参照）。
【０００３】
図６及び図７に示す様に、従来、液晶表示パネル(101)と制御部(104)はフレキシブルリード(131)により接続され、上記複数の第１信号線(111)〜(111)は該フレキシブルリード(131)に形成されていた。
一方、入力部(102)の複数の操作スイッチ(103)〜(103)は回路基板(120)に設けられており、該回路基板(120)と制御部(104)は、液晶表示パネル(101)と制御部(104)とを接続するフレキシブルリード(131)とは別のフレキシブルリード(132)により接続され、上記複数の第２信号線(112)は該フレキシブルリード(132)に形成されていた。
【先行技術文献】
【特許文献】
【０００４】
【特許文献１】特開２０００−２０１２０７号公報
【発明の概要】
【発明が解決しようとする課題】
【０００５】
この様に、図６及び図７に示す従来の電子機器においては、２つのフレキシブルリード(131)(132)を電子機器内に配置する必要があるため、フレキブルリードを配置するためのスペースが拡大し、このため電子機器が大型化する問題があった。
【０００６】
又、従来の電子機器においては、液晶表示パネル(101)と制御部(104)とをフレキシブルリード(131)により接続すると共に、該フレキシブルリード(131)とは別のフレキシブルリード(132)により回路基板(120)と制御部(104)とを接続する必要がある。このため、従来の電子機器は組み立て工数が多く、従来の電子機器の組み立て性能は低かった。
【０００７】
そこで本発明の目的は、小型であって、且つ、高い組み立て性能を有する電子機器を提供することである。
【課題を解決するための手段】
【０００８】
本発明に係る電子機器は、画像表示部と、操作スイッチを有する入力部と、前記操作スイッチの操作により入力部から入力される指令に基づいて前記画像表示部の動作を制御する制御部とを具え、前記画像表示部と制御部とが第１信号線により接続されると共に、前記入力部の操作スイッチと制御部とが第２信号線により接続されている。そして、前記第１信号線と第２信号線とが１つのフレキシブルリードに形成され、該フレキシブルリードの表面に前記入力部の操作スイッチが設けられている。
【０００９】
上記電子機器においては、第１信号線と第２信号線とが１つのフレキシブルリードに形成されているので、従来の如く第１信号線と第２信号線とがそれぞれ別個のフレキシブルリードに形成されている構成に比べて、フレキシブルリードを配置するためのスペースが削減されることになる。よって、電子機器の小型化が可能である。
【００１０】
又、フレキシブルリードの表面に入力部の操作スイッチが設けられているので、画像表示部と制御部とをフレキシブルリードによって接続することにより、入力部の操作スイッチと制御部との接続が完了することになる。よって、電子機器の組み立て工数が減少し、上記電子機器は、高い組み立て性能を有することになる。
【００１１】
上記電子機器の具体的構成において、該電子機器は、機器本体の外周面を形成するキャビネットを更に具え、該キャビネットの内面、又は、該キャビネットに固定された設置台に、前記フレキシブルリードの背面が密着している。
該具体的構成によれば、フレキシブルリードの表面側から操作スイッチに対して押圧力が付与されたとき、該押圧力は、キャビネット又は設置台によって受け止められることになる。よって、操作スイッチに付与された押圧力は、該操作スイッチに伝わり易い。
【００１２】
上記電子機器の他の具体的構成において、前記フレキシブルリードは画像表示部から引き出されたものである。
【発明の効果】
【００１３】
本発明に係る電子機器は、小型であって、且つ、高い組み立て性能を有する。
【図面の簡単な説明】
【００１４】
【図１】図１は、本発明の一実施形態に係るデジタルカメラを示す斜視図である。
【図２】図２は、上記デジタルカメラが具える液晶表示パネル、入力部、制御部（以下、要部という）を示した平面図である。
【図３】図３は、図２に示されるＡ−Ａ線に沿う断面図である。
【図４】図４は、上記デジタルカメラの変形例について、その要部を示した平面図である。
【図５】図５は、図４に示されるＢ−Ｂ線に沿う断面図である。
【図６】図６は、従来のデジタルカメラについて、その要部を示した平面図である。
【図７】図７は、図６に示されるＣ−Ｃ線に沿う断面図である。
【発明を実施するための形態】
【００１５】
以下、本発明をデジタルカメラに実施した形態につき、図面に沿って具体的に説明する。
図１に示す様に、本発明の一実施形態に係るデジタルカメラは、機器本体(１)と、６つのキートップ(21)〜(26)を有する入力部(２)とを具えている。機器本体(１)は、その外周面がキャビネット(11)によって形成されており、該キャビネット(11)の表面には、液晶表示パネル(12)が配備されている。
【００１６】
液晶表示パネル(12)には、上記デジタルカメラにより撮影した画像や、撮影モードを設定又は変更するためのメニュー選択画面等が表示される。
【００１７】
入力部(２)の６つのキートップ(21)〜(26)は、キャビネット(11)の表面に、液晶表示パネル(12)と並んで配置されている。具体的には、液晶表示パネル(12)の近傍位置に、第１及び第２キートップ(21)(22)が対を成して並ぶと共に、両キートップ(21)(22)の下方位置に第３〜第６キートップ(23)〜(26)が円陣を成して並んでいる。
【００１８】
図２に示す様に、入力部(２)は更に６つの操作スイッチ(31)〜(36)を有し、該６つの操作スイッチ(31)〜(36)はそれぞれドームスイッチにより構成されている。
【００１９】
入力部(２)の６つの操作スイッチ(31)〜(36)にはそれぞれ、６つのキートップ(21)〜(26)が対応している。具体的には、入力部(２)の６つのキートップ(21)〜(26)がキャビネット(11)を貫通しており、６つのキートップ(21)〜(26)を介して６つの操作スイッチ(31)〜(36)をそれぞれ操作することが可能となっている。
従って、６つキートップ(21)〜(26)をそれぞれ押圧することにより、対応する６つの操作スイッチ(31)〜(36)はオン状態に設定されることになる。
【００２０】
ここで、上記デジタルカメラがズームレンズを具えている場合、第１操作スイッチ(31)は、ズームレンズをテレ端側へ移動させるズームイン指令を入力するためのスイッチであり、第２操作スイッチ(32)は、ズームレンズをワイド端側へ移動させるズームアウト指令を入力するためのスイッチである。
第１操作スイッチ(31)は、第１キートップ(21)の押圧によりオン状態に設定され、これにより入力部(２)からズームイン指令が入力されることになる。又、第２操作スイッチ(32)は、第２キートップ(22)の押圧によりオン状態に設定され、これにより入力部(２)からズームアウト指令が入力されることになる。
【００２１】
一方、第３〜第６操作スイッチ(33)〜(36)は、液晶表示パネル(12)に表示されたメニュー選択画面において、メニューの選択位置を上下左右に移動させる選択指令を入力するためのスイッチである。
第３〜第６操作スイッチ(33)〜(36)はそれぞれ、第３〜第６キートップ(23)〜(26)を押圧することによりオン状態に設定され、これにより入力部(２)から選択指令が入力されることになる。
【００２２】
尚、第１〜第６操作スイッチ(31)〜(36)から入力される指令は、上述した指令に限られるものではなく、例えば、何れかの操作スイッチを、画像を削除する削除指令を入力するためのスイッチとして機能させてもよい。又、上記デジタルカメラは、異なる複数の指令を、同じ１つの操作スイッチから入力することが可能な構成を有していてもよい。
【００２３】
図２に示す様に、上記デジタルカメラは更に制御部(４)を具え、液晶表示パネル(12)と制御部(４)とが複数の第１信号線(51)〜(51)により接続されると共に、入力部(２)の６つの操作スイッチ(31)〜(36)と制御部(４)とが６つの第２信号線(52)〜(52)により接続されている。制御部(４)は、６つの操作スイッチ(31)〜(36)の操作により入力部(２)から入力される指令に基づいて液晶表示パネル(12)の動作を制御し、又、デジタルカメラの撮影動作等を制御する。
【００２４】
図２及び図３に示す様に、液晶表示パネル(12)からはフレキシブルリード(５)が引き出されており、複数の第１信号線(51)〜(51)と６つの第２信号線(52)〜(52)は、液晶表示パネル(12)から引き出された同じフレキシブルリード(５)に形成されている。図示していないが、液晶表示パネル(12)から引き出されたフレキシルブルリード(５)の先端部と制御部(４)とには、雌雄一対のコネクタが設けられており、該一対のコネクタを互いに嵌合させることにより、フレキシブルリード(５)が制御部(４)に接続されて、複数の第１信号線(51)〜(51)と６つの第２信号線(52)〜(52)とが制御部(４)に接続されている。
【００２５】
又、入力部(２)の６つの操作スイッチ(31)〜(36)はそれぞれ、該フレキシブルリード(５)の表面に設けられ、該表面にて６つの第２信号線(52)に接続されている。
【００２６】
図示していないが、フレキシブルリード(５)の背面は、キャビネット(11)の内面に密着し、或いは、キャビネット(11)に固定された設置台や基板等の表面に密着している。従って、入力部の６つのキートップ(21)〜(26)の何れかのキートップを押圧した場合、該キートップに対応する操作スイッチには、フレキシブルリード(５)の表面側から押圧力が付与されることになるが、該押圧力は、キャビネット(11)又は設置台等により受け止められることになる。よって、操作スイッチに付与された押圧力は、該操作スイッチに伝わり易い。
【００２７】
上記デジタルカメラにおいては、複数の第１信号線(51)〜(51)と６つの第２信号線(52)〜(52)とが、液晶表示パネル(12)から引き出されている同じフレキシブルリード(５)に形成されているので、従来の如く第１信号線(51)と第２信号線(52)とがそれぞれ別個のフレキシブルリードに形成されている構成に比べて、フレキシブルリードを配置するためのスペースが削減されることになる。よって、デジタルカメラの小型化が可能である。
【００２８】
又、液晶表示パネル(12)から引き出されているフレキシブルリード(５)の表面に、入力部(２)の６つの操作スイッチ(31)〜(36)が設けられているので、該フレキシブルリード(５)を制御部(４)に接続することにより、入力部(２)の６つの操作スイッチ(31)〜(36)と制御部(４)との接続が完了することになる。よって、デジタルカメラの組み立て工数が減少し、その結果、上記デジタルカメラは、高い組み立て性能を有することになる。
【００２９】
尚、本発明の各部構成は上記実施形態に限らず、特許請求の範囲に記載の技術的範囲内で種々の変形が可能である。
例えば、フレキシブルリード(５)の形状は上記実施形態の形状に限定されるものではない。図４及び図５に示す様に、液晶表示パネル(12)から引き出されたフレキシブルリード(５)は、その一部が表面側へ折り返されていてもよい。この場合、入力部(２)の６つの操作スイッチ(31)〜(36)は、フレキシブルリード(５)の内、表面側へ折り返して形成された折り返し部(53)の表面に設けられることになる。
【００３０】
又、上記実施形態においては、フレキシブルリード(５)の表面に６つの操作スイッチ(31)〜(36)が設けられていたが、フレキシブルリード(５)の表面に設ける操作スイッチの数はこれに限定されるものではない。フレキシブルリード(５)の表面には、操作スイッチが１つだけ設けられてもよいし、６つ以外の複数の操作スイッチが設けられてもよい
【００３１】
更に、上記デジタルカメラに採用した各種構成は、携帯電話機等、種々の電子機器に適用すること出来る。
【符号の説明】
【００３２】
(１)  機器本体
(11)  キャビネット
(12)  液晶表示パネル（画像表示部）
(２)  入力部
(21)〜(26)  キートップ
(31)〜(36)  操作スイッチ
(４)  制御部
(５)  フレキシブルリード
(51)  第１信号線
(52)  第２信号線
【図１】
2011048014.tif 000003
【図２】
2011048014.tif 000004
【図３】
2011048014.tif 000005
【図４】
2011048014.tif 000006
【図５】
2011048014.tif 000007
【図６】
2011048014.tif 000008
【図７】
2011048014.tif 000009